(57)【特許請求の範囲】
【請求項１】
アルカリ剤（Ａ）、キレート剤（Ｂ）及び酸素系漂白剤（Ｃ）を含むコーヒー汚れ用固体洗浄剤組成物であって、
前記アルカリ剤（Ａ）はアルカリ金属の炭酸塩又は炭酸水素塩であり、
前記キレート剤（Ｂ）は、アミノカルボン酸系キレート剤、ホスホン酸系キレート剤及び多価カルボン酸系キレート剤からなる群から選択される少なくとも一種であり、
洗浄剤組成物の全量に対する酸素系漂白剤（Ｃ）の含有量は、１〜２０重量％であり、
前記酸素系漂白剤（Ｃ）１重量部に対して、前記アルカリ剤（Ａ）が０．６〜１０．０重量部配合されていることを特徴とするコーヒー汚れ用固体洗浄剤組成物。
【請求項２】
前記酸素系漂白剤（Ｃ）１重量部に対して、前記キレート剤（Ｂ）が１０．０重量部以下の割合で配合されている請求項１に記載のコーヒー汚れ用固体洗浄剤組成物。
【請求項３】
前記酸素系漂白剤（Ｃ）は、アルカリ金属過炭酸塩、アルカリ金属過硫酸塩及びアルカリ金属過ホウ酸塩からなる群から選択される少なくとも一種である請求項１又は２に記載のコーヒー汚れ用固体洗浄剤組成物。
【請求項４】
前記アルカリ剤（Ａ）は、炭酸ナトリウム、炭酸カリウム、炭酸水素ナトリウム、炭酸水素カリウム及びこれらの水和物からなる群から選択される少なくとも一種である請求項１〜３のいずれかに記載のコーヒー汚れ用固体洗浄剤組成物。
【請求項５】
さらに添加剤を含み、
該添加剤は、芒硝、ポリエチレングリコール、ノニオン界面活性剤、酸剤、防腐剤、殺菌剤、酵素、色素、香料、着色料、消泡剤、及び、腐食防止剤からなる群から選択される少なくとも一種である請求項１〜４のいずれかに記載のコーヒー汚れ用固体洗浄剤組成物。
【請求項６】
前記コーヒー汚れ用固体洗浄剤組成物は、粉末、顆粒、錠剤のいずれかである請求項１〜５のいずれかに記載のコーヒー汚れ用固体洗浄剤組成物。
【請求項７】
請求項１〜６のいずれかに記載のコーヒー汚れ用固体洗浄剤組成物を用いることを特徴とするコーヒー汚れ洗浄方法。
【発明の詳細な説明】
【技術分野】
【０００１】
本発明は、コーヒー汚れ用固体洗浄剤組成物及びコーヒー汚れ洗浄方法に関する。
【背景技術】
【０００２】
飲食店やコンビニエンスストア等の店舗において、顧客の要求に応じて１杯ずつコーヒーを抽出、提供するコーヒーマシンが使用されている。このようなコーヒーマシンは定期的に洗浄する必要があるが、コーヒー液が流れる部分（以下、コーヒーラインともいう）をマシン本体から容易に取り外せないことが多い。そのため、コーヒーラインを洗浄する際は、洗浄剤をコーヒーマシン内部に投入し、コーヒーマシン本体に搭載された洗浄モードを使用することで洗浄されることが多い。
【０００３】
コーヒーマシンに付着する汚れの洗浄には、他の飲料（例えば緑茶や紅茶等）と同様に、酸素系漂白剤を主成分とした洗浄剤が用いられている（例えば特許文献１）。これは、コーヒーを入れる飲料容器等の洗浄についても同様である。
【先行技術文献】
【特許文献】
【０００４】
【特許文献１】特許第４９９４６０８号公報
【発明の概要】
【発明が解決しようとする課題】
【０００５】
しかしながら、コーヒー由来の汚れ（以下、コーヒー汚れともいう）は、色素汚れだけでなく脂質や多糖類、タンパク質等の有機汚れが複合したものであり、高温又は高圧条件でコーヒー液を抽出したり、コーヒー液を加温状態で保温すると、コーヒー汚れが変性してしまい、緑茶や紅茶の着色汚れと比較して洗浄しにくいなどの問題があった。変性したコーヒー汚れが付着した状態でコーヒー液の抽出及び保温を続けると、コーヒー汚れ由来の異物がコーヒー液に混入したり、コーヒー液に雑味を与えてしまうことがある。
そして、緑茶汚れや紅茶汚れの洗浄に用いる洗浄剤をコーヒー汚れに対して使用した場合、コーヒー汚れを充分に除去することが困難な場合があった。
以上のことから、コーヒーマシンやコーヒーを提供する容器等に付着したコーヒー汚れに対して、特に優れた洗浄性を示す洗浄剤が求められていた。
【０００６】
本発明は上記課題を解決するためになされたものであり、本発明の目的は、コーヒー汚れに対して優れた洗浄性能を示すコーヒー汚れ用固体洗浄剤組成物を提供することである。
【課題を解決するための手段】
【０００７】
すなわち、本発明のコーヒー汚れ用固体洗浄剤組成物は、アルカリ剤（Ａ）、キレート剤（Ｂ）及び酸素系漂白剤（Ｃ）を含むコーヒー汚れ用固体洗浄剤組成物であって、上記アルカリ剤（Ａ）はアルカリ金属の炭酸塩又は炭酸水素塩であり、上記酸素系漂白剤（Ｃ）１重量部に対して、上記アルカリ剤（Ａ）が０．６〜１０．０重量部配合されていることを特徴とする。
【０００８】
本発明のコーヒー汚れ用固体洗浄剤組成物は、酸素系漂白剤（Ｃ）１重量部に対して、アルカリ剤（Ａ）が０．６〜１０．０重量部配合されている。
通常、色素汚れには酸素系漂白剤による洗浄が有効であることが知られているが、コーヒー由来の色素汚れは上述したように、色素汚れに加え、脂質、多糖類、タンパク質等が複合化、変性したものであるから、通常の酸素系漂白剤による洗浄は、このような汚れに対しては、充分な洗浄性を示さないと考えられる。
これに対して、本発明のコーヒー汚れ用固体洗浄剤組成物は、従来からコーヒー汚れに使用されている洗浄剤と比較して酸素系漂白剤の割合が少なく、アルカリ剤の割合が多いため、コーヒー汚れに対して充分な洗浄力を有すると考えられる。
【０００９】
本発明のコーヒー汚れ用固体洗浄剤組成物において、上記酸素系漂白剤（Ｃ）１重量部に対して、上記キレート剤（Ｂ）が１０．０重量部以下の割合で配合されていることが好ましい。
酸素系漂白剤（Ｃ）１重量部に対してキレート剤（Ｂ）が１０．０重量部以下の割合で配合されていると、コーヒー汚れに対する洗浄力をさらに高めることができる。
【００１０】
本発明のコーヒー汚れ用固体洗浄剤組成物において、上記酸素系漂白剤（Ｃ）は、アルカリ金属過炭酸塩、アルカリ金属過硫酸塩及びアルカリ金属過ホウ酸塩からなる群から選択される少なくとも一種であることが好ましい。
酸素系漂白剤（Ｃ）が上記化合物であると、コーヒー汚れ用固体洗浄剤組成物として充分な洗浄力を発揮することができる。
【００１１】
本発明のコーヒー汚れ用固体洗浄剤組成物において、上記アルカリ剤（Ａ）は、炭酸ナトリウム、炭酸カリウム、炭酸水素ナトリウム、炭酸水素カリウム及びこれらの水和物からなる群から選択される少なくとも一種であることが好ましい。
アルカリ剤（Ａ）が上記化合物であると、コーヒー汚れ用固体洗浄剤組成物として充分な洗浄力を発揮することができる。
【００１２】
本発明のコーヒー汚れ用固体洗浄剤組成物において、上記キレート剤（Ｂ）は、アミノカルボン酸系キレート剤、ホスホン酸系キレート剤、ヒドロキシカルボン酸系キレート剤及び多価カルボン酸系キレート剤からなる群から選択される少なくとも一種であることが好ましい。
上記化合物をキレート剤（Ｂ）として、アルカリ剤（Ａ）と併用することによってコーヒー特有の汚れを洗浄する能力に優れる。
【００１３】
本発明のコーヒー汚れ用固体洗浄剤組成物は、さらに添加剤を含むことが好ましい。
添加剤を含むことで、コーヒー汚れ用固体洗浄剤組成物の取り扱い性を向上させたり、水に対する溶解速度を調整することができる。
【００１４】
本発明のコーヒー汚れ用固体洗浄剤組成物は、粉末、顆粒、錠剤のいずれかであることが好ましい。
コーヒー汚れ用固体洗浄剤組成物がこれらの形態であると、取り扱い性に優れる。
【００１５】
本発明のコーヒー汚れ洗浄方法は、本発明のコーヒー汚れ用固体洗浄剤組成物を用いることを特徴とするコーヒー汚れ洗浄方法である。
本発明のコーヒー汚れ用固体洗浄剤組成物は、コーヒー汚れに対して優れた洗浄性を有しているため、コーヒー汚れを洗浄する方法として好適である。
【発明の効果】
【００１６】
本発明のコーヒー汚れ用固体洗浄剤組成物は、コーヒー汚れに対して優れた洗浄性能を示す。
【発明を実施するための形態】
【００１７】
本発明のコーヒー汚れ用固体洗浄剤組成物は、アルカリ剤（Ａ）、キレート剤（Ｂ）及び酸素系漂白剤（Ｃ）を含むコーヒー汚れ用固体洗浄剤組成物であって、上記アルカリ剤（Ａ）はアルカリ金属の炭酸塩又は炭酸水素塩であり、上記酸素系漂白剤（Ｃ）１重量部に対して、上記アルカリ剤（Ａ）が０．６〜１０．０重量部配合されていることを特徴とする。
【００１８】
酸素系漂白剤（Ｃ）１重量部に対するアルカリ剤（Ａ）の含有量が０．６重量部未満の場合、コーヒー汚れを充分に洗浄できない。
【００１９】
本発明のコーヒー汚れ用固体洗浄剤組成物を構成する、アルカリ剤（Ａ）、キレート剤（Ｂ）及び酸素系漂白剤（Ｃ）について、それぞれ説明する。
【００２０】
まず本発明のコーヒー汚れ用固体洗浄剤組成物を構成するアルカリ剤（Ａ）について説明する。
本発明のコーヒー汚れ用固体洗浄剤組成物を構成するアルカリ剤（Ａ）はアルカリ金属の炭酸塩又は炭酸水素塩であり、炭酸ナトリウム、炭酸カリウム、炭酸水素ナトリウム、炭酸水素カリウム及びこれらの水和物からなる群から選択される少なくとも一種であることが好ましく、炭酸ナトリウム、炭酸カリウム及びこれらの水和物からなる群から選択される少なくとも一種であることがより好ましい。
酸素系漂白剤（Ｃ）１重量部に対するアルカリ剤（Ａ）の含有量は、０．６〜１０．０重量部であり、１〜１０．０重量部であることが好ましく、３〜１０．０重量部であることがより好ましい。
【００２１】
本発明のコーヒー汚れ用固体洗浄剤組成物において、洗浄剤組成物の全量に対するアルカリ剤（Ａ）の含有量は、特に限定されないが、５〜５０重量％であることが好ましく、７．５〜４５重量％であることがより好ましく、１０〜４０重量％であることがさらに好ましい。
【００２２】
本発明のコーヒー汚れ用固体洗浄剤組成物を構成するキレート剤（Ｂ）の種類は特に限定されないが、キレート剤（Ｂ）としては、アミノカルボン酸系キレート剤、ホスホン酸系キレート剤及びヒドロキシカルボン酸系キレート剤、多価カルボン酸系キレート剤、リン酸系キレート剤、エーテルカルボン酸系キレート剤が挙げられる。
これらの中では、アミノカルボン酸系キレート剤、ホスホン酸系キレート剤、ヒドロキシカルボン酸系キレート剤、多価カルボン酸系キレート剤が好ましい。さらにこれらの中では、環境への負荷を考慮するとリンを含まないキレート剤であることがより好ましく、具体的には、アミノカルボン酸系キレート剤、ヒドロキシカルボン酸系キレート剤、多価カルボン酸系キレート剤がより好ましく、アミノカルボン酸系キレート剤がさらに好ましい。
酸素系漂白剤（Ｃ）１重量部に対するキレート剤（Ｂ）の含有量は特に限定されないが、１０．０重量部以下であることが好ましく、０．８１重量部以上であることがより好ましい。
【００２３】
本発明のコーヒー汚れ用固体洗浄剤組成物において、洗浄剤組成物の全量に対するキレート剤（Ｂ）の含有量は、特に限定されないが、１〜５０重量％であることが好ましく、５〜４５重量％であることがより好ましい。
【００２４】
アミノカルボン酸系のキレート剤としては、エチレンジアミン四酢酸（ＥＤＴＡ）、ニトリロ三酢酸（ＮＴＡ）、ジエチレントリアミン五酢酸（ＤＴＰＡ）、ヒドロキシエチルエチレンジアミン三酢酸（ＨＥＤＴＡ）、トリエチレンテトラミン六酢酸（ＴＴＨＡ）、グルタミン酸二酢酸（ＧＬＤＡ）、ヒドロキシエチルイミノ二酢酸（ＨＩＤＡ）、ジヒドロキシエチルグリシン（ＤＨＥＧ）、アスパラギン酸二酢酸（ＡＳＤＡ）、エチレンジアミンコハク酸（ＥＤＤＳ）、メチルグリシン二酢酸（ＭＧＤＡ）又はこれらの塩等が挙げられる。
【００２５】
ホスホン酸系のキレート剤としては、ヒドロキシエチリデンホスホン酸（ＨＥＤＰ）、ニトリロトリメチレンホスホン酸（ＮＴＭＰ）、ホスホノブタントリカルボン酸（ＰＢＴＣ）等が挙げられる。
上記キレート剤はホスホン酸部分の少なくとも一部が塩になっていてもよい。
【００２６】
ヒドロキシカルボン酸系のキレート剤としては、例えば、リンゴ酸、クエン酸、乳酸、酒石酸、グルコン酸又はこれらの塩が挙げられる。
【００２７】
多価カルボン酸系のキレート剤としては、例えば、コハク酸、グルタル酸、アジピン酸、フマル酸及びこれらの塩等が挙げられる。なおカルボキシル基を複数有するものであっても、ヒドロキシル基を有する化合物は、ヒドロキシカルボン酸系のキレート剤とする。
【００２８】
上記キレート剤（Ｂ）における塩としては、例えば、カリウム、ナトリウム等のアルカリ金属の塩；マグネシウム、カルシウム等のアルカリ土類金属の塩を挙げることができる。中でも、アルカリ金属の塩が好ましく、ナトリウム塩又はカリウム塩がより好ましい。
【００２９】
本発明のコーヒー汚れ用固体洗浄剤組成物を構成する酸素系漂白剤（Ｃ）の種類は特に限定されないが、アルカリ金属炭酸塩の過酸化水素付加物（アルカリ金属過炭酸塩ともいう）、アルカリ金属過硫酸塩及びアルカリ金属過ホウ酸塩が挙げられ、これらの中ではアルカリ金属過炭酸塩が好ましい。
アルカリ金属過炭酸塩としては、過炭酸ナトリウム、過炭酸カリウムなどが挙げられ、アルカリ金属過硫酸塩としては、過硫酸ナトリウム、過硫酸カリウムなどが挙げられ、アルカリ金属過ホウ酸塩としては、過ホウ酸ナトリウム、過ホウ酸カリウムなどが挙げられる。
【００３０】
本発明のコーヒー汚れ用固体洗浄剤組成物において、洗浄剤組成物の全量に対する酸素系漂白剤（Ｃ）の含有量は、特に限定されないが、１〜２０重量％であることが好ましく、２〜１８重量％であることがより好ましく、３〜１５重量％であることが更に好ましく、４〜１３重量％であることが最も好ましい。
本発明のコーヒー汚れ用固体洗浄剤組成物は、従来の緑茶汚れや紅茶汚れ用の洗浄剤と比較して、酸素系漂白剤（Ｃ）の含有量が少なくても、コーヒー汚れに対して充分な洗浄力を発揮することができる。
洗浄剤組成物の全量に対する酸素系漂白剤（Ｃ）の含有量が２０重量％を超えた場合、アルカリ剤（Ａ）及びキレート剤（Ｂ）の含有量が相対的に少なくなってしまい、コーヒー汚れに対して充分な洗浄力を発揮できないことがある。一方、酸素系漂白剤（Ｃ）の含有量が１重量％未満の場合、酸素系漂白剤（Ｃ）の絶対量が少なすぎて、漂白作用が充分に発揮されないことがある。
【００３１】
本発明のコーヒー汚れ用固体洗浄剤組成物は、アルカリ剤（Ａ）、キレート剤（Ｂ）及び酸素系漂白剤（Ｃ）以外の成分（添加剤）を含んでいてもよい。
添加剤としては、芒硝、ポリエチレングリコール、ノニオン界面活性剤、酸剤、防腐剤、殺菌剤、酵素、色素、香料、着色料、消泡剤、腐食防止剤等が挙げられる。これらの添加剤としては、従来から洗浄剤用の添加剤として用いられているものを好適に用いることができる。
【００３２】
芒硝（硫酸ナトリウム）を本発明のコーヒー汚れ用固体洗浄剤組成物に添加することで、取り扱い性を向上させ、飛散性を抑制することができる。
【００３３】
ポリエチレングリコール（ＰＥＧ）及び以下に示すノニオン界面活性剤は、本発明のコーヒー汚れ用固体洗浄剤組成物において洗浄剤同士の接着性を高めることができ、成形性、取り扱い性に優れたコーヒー汚れ用固体洗浄剤組成物を得ることができる。
上記ノニオン界面活性剤としては、ポリオキシアルキレンアルキルエーテル、プルロニック型ブロックポリマー、リバースプルロニック型ブロックポリマー、テトロニック型ブロックポリマー、リバーステトロニック型ブロックポリマー、ポリオキシアルキレンアルキルフェニルエーテル、ポリオキシアルキレン脂肪酸エステル、ポリオキシアルキレンソルビタン脂肪酸エステル、ポリグリセリン脂肪酸エステル、ショ糖脂肪酸エステル等が挙げられる。
【００３４】
消泡剤としては、例えば、特許第５８７６９２３号公報に記載されたノニオン界面活性剤等が挙げられる。
消泡剤の含有量は、コーヒー汚れ用固体洗浄剤組成物の全量に対して０．１〜１．０重量％が好ましい。
【００３５】
本発明のコーヒー汚れ用固体洗浄剤組成物は、固体状の洗浄剤組成物であり、その形態は粉末、顆粒、錠剤のいずれかであることが好ましい。
本発明のコーヒー汚れ用固体洗浄剤組成物の形態が粉末又は顆粒であると速やかに水に溶解させることができるため、洗浄作業が容易となる。
本発明のコーヒー汚れ用固体洗浄剤組成物の形態が錠剤であると、毎回決まった分量を使用することが容易となり計量の手間を省くことができ、特にコーヒーマシンの定期洗浄に適している。
【００３６】
本発明のコーヒー汚れ用固体洗浄剤組成物を製造する方法について説明する。
本発明のコーヒー汚れ用固体洗浄剤組成物を製造する際には、原料となるアルカリ剤（Ａ）、キレート剤（Ｂ）、酸素系漂白剤（Ｃ）及び添加剤を所望の比率で混合すればよい。混合には、リボンミキサー、ナウターミキサー、ドラムミキサー等が好適に用いられる。
このとき、混合物を打錠機で打錠することにより、コーヒー汚れ用固体洗浄剤組成物の形態を錠剤としてもよい。
【００３７】
本発明のコーヒー汚れ用固体洗浄剤組成物の形態が錠剤（タブレットともいう）の場合には、上記添加剤として、ポリエチレングリコール又は上記ノニオン界面活性剤、及び、芒硝を含むことが好ましい。
芒硝を含むことで錠剤の大きさを調整することができ、取り扱い性に優れた錠剤を得ることができる。ポリエチレングリコール又は上記ノニオン界面活性剤を含むことで、錠剤の成形性が向上する。さらに、洗浄剤組成物に適度な硬度を付与することができ、錠剤の保存・輸送中の欠けなどの防止や、溶解速度の調整が可能となる。
【００３８】
本発明のコーヒー汚れ用固体洗浄剤組成物の形態が錠剤である場合、その錠剤１個あたりの重量は特に限定されないが、取り扱い性及び溶解速度を考慮すると、０．５〜５ｇであることが好ましい。
【００３９】
続いて、本発明のコーヒー汚れ洗浄方法について説明する。
本発明のコーヒー汚れ洗浄方法は、本発明のコーヒー汚れ用固体洗浄剤組成物を用いることを特徴とする。
本発明のコーヒー汚れ用固体洗浄剤組成物は、コーヒー汚れに対して特に効果的であることから、本発明のコーヒー汚れ用固体洗浄剤組成物を用いてコーヒー汚れを洗浄するのに好適である。
本発明のコーヒー汚れ洗浄方法は、たとえば、水道水、イオン交換水等の水に本発明のコーヒー汚れ用固体洗浄剤組成物を溶解した洗浄液を準備し、洗浄対象物に付着させるか、又は、洗浄対象物を洗浄液に浸漬させることで行うことができる。また、洗浄対象がコーヒーマシンである場合、予めコーヒーマシン本体に設けられた洗浄剤投入口から本発明のコーヒー汚れ用固体洗浄剤組成物を投入し、洗浄モードで運転してもよい。
このときの水の温度は特に限定されないが、１０℃以上であることが好ましく、２５℃以上であることがより好ましく、４０℃以上であることが更に好ましい。
また、洗浄液の濃度は、洗浄対象物の汚れの程度により適宜調整すればよく、水１００重量部に対して、本発明のコーヒー汚れ用固体洗浄剤組成物を０．１〜１０．０重量部混合することが好ましい。
【００４０】
本発明のコーヒー汚れ洗浄方法において対象となる被洗浄物は、コーヒー汚れが付着するものであれば特に限定されず、例えば、コーヒーカップ等の飲料容器、コーヒーポット等の飲料保管容器、サイフォン、ドリッパー等の手動式コーヒー抽出器及びその部品、コーヒーマシンのコーヒーライン及びその部品、コーヒー豆の焙煎機（コーヒーロースター）及びその部品等が挙げられる。
上記コーヒーマシンの種類は特に限定されず、例えばドリップ式、エスプレッソ式等のように、コーヒー豆又はコーヒー粉をマシンに投入するものであってもよく、予め一定量のコーヒー粉が充填された容器をコーヒー液の抽出毎に交換するカプセル式やカフェポッド式であってもよい。また上記コーヒーマシンは半自動式であっても全自動式であってもよく、コーヒー液を含む飲料（カプチーノ、カフェラテ、カフェオレ等）を供するためのコーヒーマシンであってもよい。
【実施例】
【００４１】
以下に本発明をより具体的に説明する実施例を示すが、本発明はこれらの実施例に限定されるものではない。なお実施例において、特に断らない限り「部」は「重量部」を「％」は「重量％」をそれぞれ意味する。
【００４２】
（コーヒー汚れ用固体洗浄剤組成物の調製）
表１に示す処方に従い、アルカリ剤（Ａ）、キレート剤（Ｂ）、酸素系漂白剤（Ｃ）及び添加剤を混合して、実施例１〜９及び比較例１〜４に係る固体洗浄剤組成物を得た。なお、酸素系漂白剤（Ｃ）１重量部に対するアルカリ剤（Ａ）の配合量を［（Ａ）／（Ｃ）］で示す。
なお、添加剤としてポリエチレングリコール（ＰＥＧ）［三洋化成工業（株）製ＰＥＧ６０００−Ｐ（数平均分子量８３００）］及びノニオン界面活性剤［（株）ＡＤＥＫＡ製  プルロニックＬ−３１］を用いた。
【００４３】
（コーヒー汚れ洗浄性試験）
煮沸したインスタントコーヒー液にプラスチック板を浸漬させ、一晩自然冷却させた。
その後、プラスチック板を取り出し、乾燥させることでコーヒー汚れの付着した試験板を作製した。
続いて、水道水１００重量部に対して実施例１〜９及び比較例１〜４に係る固体洗浄剤組成物をそれぞれ０．５重量部混合した洗浄液中に、上記試験板を７０℃で３分間浸漬し、その後流水ですすいだ。すすぎ後の試験板の表面を目視で観察し、残存する汚れの程度を以下の基準で判定した。結果を表１に示す。
◎：汚れ落ちが非常によく、汚れが全く確認できない。
○：汚れ落ちがよく、汚れがほとんど確認できない。
△：汚れ落ちが悪く、汚れが確認できる。
×：汚れ落ちが非常に悪く、明らかに汚れが確認できる。
【００４４】
【表１】
0006781896.tif 000002
【００４５】
（紅茶汚れ洗浄性試験）
煮沸した紅茶液に、上記（コーヒー汚れ洗浄性試験）で用いたものと同種のプラスチック板を含浸させ、一晩自然冷却させた。その後、プラスチック板を取り出し、乾燥させることで、紅茶汚れの付着した試験板を作製した。
続いて、水道水１００重量部に対して実施例１〜９及び比較例１〜４に係る固体洗浄剤組成物をそれぞれ１．０重量部混合した洗浄液中に、上記試験板を７０℃で３０分間浸漬し、その後流水ですすいだ。すすぎ後の試験板の表面を目視で観察し、残存する汚れの程度を（コーヒー汚れ洗浄性試験）と同様の基準で判定した。結果を表１に示す。
【００４６】
表１の結果より、本発明のコーヒー汚れ用固体洗浄剤組成物は、コーヒー汚れに対して優れた洗浄性能を示すことがわかった。